(57)【特許請求の範囲】
【請求項１】
上面と底面とこれらに連接する一対の長側面と一対の短側面とを有し、その上面に取出し口を形成するための環状に配された裂開用ミシン目線を有する紙箱と、前記裂開用ミシン目線で囲まれる取出し口形成部を紙箱内側から被覆するフィルムシートと、を備え、
前記フィルムシートが、スリットを有し、そのスリットが裂開用ミシン目線で囲まれる範囲内に位置され、取出し口形成部を切り剥がすことにより、取出し口が形成されるとともに前記スリットが露出する、衛生薄葉紙収納箱であって、
前記裂開用ミシン目線が、紙箱長手方向に延在する長辺とこの長辺の端同士を繋ぐ短辺とを有し、
前記フィルムシートが、接着糊によって紙箱上面の内面に貼付され、
その接着糊の糊付けパターンが、前記長辺及び前記短辺に沿って裂開用ミシン目線で囲まれる範囲を包囲するように接着糊が配され、かつ、その長辺に沿って配される部分が連続線内に長手方向中央から短辺方向に向かって凸のＶ字状非接着部が間隔を開けて複数設けられているパターンである、ことを特徴とする衛生薄葉紙収納箱。
【請求項２】
前記長辺に沿って配される部分は、Ｖ字状非接着部の幅が、連続線の幅の４０〜８０％である請求項１記載の衛生薄葉紙収納箱。
【請求項３】
前記糊付けパターンは、短辺に沿って配される部分の両端が鋸型となっているパターンである、請求項１記載の衛生薄葉紙収納箱。
【発明の詳細な説明】
【技術分野】
【０００１】
本発明は、ティシュペーパー、ペーパータオル、キッチンペーパー等が収納される衛生薄葉紙収納箱に関する。
【背景技術】
【０００２】
衛生薄葉紙収納箱としては、直方体形状の紙箱の上面に環状のミシン目線が形成され、その環状ミシン目線内及びその周囲部を被覆するようにして、紙箱内面にスリットを有する樹脂製又は樹脂を含むフィルムシートを貼付した構造を採るのが一般的である。
【０００３】
使用に際しては、環状のミシン目線を切り剥がすことで、紙箱に取出し口を形成し、その取出し口内にスリットを露出させる。使用者はこのスリットを介して衛生薄葉紙を引き出して使用する。
【０００４】
ところで、衛生薄葉紙収納箱は、内部のティシュペーパー等を使いきった後、廃棄するにあたって、ゴミの分別回収等の理由等により、紙箱とフィルムシートとの分別が求められることがある。
【０００５】
このため、従来の衛生薄葉紙収納箱においては、例えば、特許文献１や特許文献２のように、フィルムシートを箱内面に貼付するために環状のミシン目線を囲むように配置される糊を間欠的に配置する糊付けパターンにしてフィルムシートを剥がし易くしている。
【０００６】
しかし、上記の各特許文献のように糊を間欠的に配置する糊付けパターンでは、糊付け部分と非糊付け部分との接着力の差が大きく、引き剥がしの際に糊付け部分にフィルムが一部ちぎれて残り、完全に分離されないことがあった。
【０００７】
また、上記糊付けパターンを糊の転写により付与しようとすると糊版の糊非付与部分に糊粕が溜まりやすく均一な転写を行なうことが困難であった。
【先行技術文献】
【特許文献】
【０００８】
【特許文献１】特許第４８３６６００号
【特許文献２】特開２００８−２４７４４６号公報
【発明の概要】
【発明が解決しようとする課題】
【０００９】
そこで、本発明の主たる課題は、紙箱とフィルムシートの分離性と引き剥がしの操作性に優れ、製造時に糊粕も出難い、衛生薄葉紙収納箱を提供することにある。
【課題を解決するための手段】
【００１０】
上記課題を解決した本発明は以下のとおりである。
〔請求項１記載の発明〕
上面と底面とこれらに連接する一対の長側面と一対の短側面とを有し、その上面に取出し口を形成するための環状に配された裂開用ミシン目線を有する紙箱と、前記裂開用ミシン目線で囲まれる取出し口形成部を紙箱内側から被覆するフィルムシートと、を備え、
前記フィルムシートが、スリットを有し、そのスリットが裂開用ミシン目線で囲まれる範囲内に位置され、取出し口形成部を切り剥がすことにより、取出し口が形成されるとともに前記スリットが露出する、衛生薄葉紙収納箱であって、
前記裂開用ミシン目線が、紙箱長手方向に延在する長辺とこの長辺の端同士を繋ぐ短辺とを有し、
前記フィルムシートが、接着糊によって紙箱上面の内面に貼付され、
その接着糊の糊付けパターンが、前記長辺及び前記短辺に沿って裂開用ミシン目線で囲まれる範囲を包囲するように接着糊が配され、かつ、その長辺に沿って配される部分が連続線内に長手方向中央から短辺方向に向かって凸のＶ字状非接着部が間隔を開けて複数設けられているパターンである、ことを特徴とする衛生薄葉紙収納箱。
【００１１】
〔請求項２記載の発明〕
前記長辺に沿って配される部分は、Ｖ字状非接着部の幅が、連続線の幅の４０〜８０％である請求項１記載の衛生薄葉紙収納箱。
【００１２】
〔請求項３記載の発明〕
前記糊付けパターンは、短辺に沿って配される部分の両端が鋸型となっているパターンである、請求項１記載の衛生薄葉紙収納箱。
【００１３】
〔作用効果〕
本発明に係る衛生薄葉紙収納箱は、紙箱長手方向に延在する裂開用ミシン目線の長辺に沿って接着糊が配されており、その部分が、連続線内に、長手方向中央から短辺方向に向かって凸のＶ字状非接着部が間隔を開けて複数設けられているパターンとなっている。
【００１４】
この糊付けパターンは、紙箱からフィルムシートを引き剥がす際に、Ｖ字状非接着部に比してそれらの間の部分を引き剥がす際に強い力が必要となる。このためＶ字状非接着部に係る部位でフィルムシートが勢いよく剥がされる。
【００１５】
本発明の接着糊の糊付けパターンは、連続線内にＶ字状非接着部が位置しており、非接着部が抜き部として存在しているため、連続線が非接着部によって完全に分断されていない。よって、連続線が完全に分断されている場合、すなわち上記特許文献１、２のように接着糊が間欠的に配置されている場合には、接着糊の存在部分で過度に付勢されて次のドット部で勢いが付きすぎてフィルムシートがちぎれて紙箱側に残るが、本発明では連続線が完全に分断されていないため過度に勢いが付かずフィルムシートがちぎれて紙箱側に残るようなことがない。
【００１６】
また、Ｖ字状非接着部はＶ字の先端方向から二股方向に向かって非接着部が広がるため、当該方向に剥離されやすい。本発明では、Ｖ字状非接着部が長手方向中央から短辺方向に向かって凸となるように間隔を開けて配し、短辺方向から長手方向中央に向かって剥離操作がし易い態様としている。
【００１７】
衛生薄葉紙収納箱は、通常、紙箱の短側面が、上面、底面、長側面から延出するフラップを折り畳み封止した封止面となっており、箱解体時にはこの封止面を開封する。そして、フィルムシートを引き剥がす操作は、その封止面を開放した部分から内部に手に入れてフィルムシートを摘み引っ張る操作が行なわれる。よって、引き剥がしの前半は短辺から長手方向中央に向かってフィルムシートが剥離されることになる。引き剥がしの前半、特に初期は、上述の非接着部（Ｖ字状非接着部）による勢いを付け難いが、本発明のようにＶ字状非接着部を配置することで、特にフィルムシート引き剥がし操作の前半、特に初期にスムーズな分離操作が行えるようになる。
【００１８】
ここで、本発明においては、Ｖ字状非接着部による効果を顕著なものとすべく、Ｖ字状非接着部の幅を連続線部分の幅の４０〜８０％とするのがよい。
【００１９】
また、本発明における糊付けパターンについては、短辺に沿って配される部分の両端が鋸型とすると、上述のフィルムシートの初期、特に最初期の引き剥がし操作がスムーズに行えるようになる。
【００２０】
また、本発明に係る糊付けパターンは、連続線が非接着部によって完全に分断されていない非間欠パターンであるため、接着糊を糊版により転写して付与する場合でも、糊版の糊非付与部分に糊粕が溜まり難く、均一塗布が可能である。
【発明の効果】
【００２１】
以上のとおり、本発明によれば、紙箱とフィルムシートの分離性と引き剥がしの操作性に優れる衛生薄葉紙収納箱が提供される。
【図面の簡単な説明】
【００２２】
【図１】本発明に係る衛生薄葉紙収納箱の斜視図である。
【図２】本発明に係る衛生薄葉紙収納箱の使用時の斜視図である。
【図３】本発明に係る衛生薄葉紙収納箱の展開図の例である。
【図４】本発明に係る衛生薄葉紙収納箱の解体を説明するための斜視図である。
【図５】本発明に係るフィルムシートの糊付けパターンを説明するための図である。
【図６】フィルムシートの糊付けパターンの従来例を示す図である。
【図７】フィルムシートの糊付けパターンの他の従来例を示す図である。
【図８】本発明に係るＶ字状非接着部の形状例を示す図である。
【発明を実施するための形態】
【００２３】
次いで、本発明の実施の形態を図面を参照しながら以下に詳述する。
本発明に係る衛生薄葉紙収納箱１（以下、単に収納箱１ともいう）は、ティシュペーパー、ペーパータオル、キッチンペーパー等の衛生薄葉紙Ｔをポップアップ式に折り畳み積層した束が収納されるものであり、カートン、カートン箱とも称される。
【００２４】
本発明に係る収納箱は、図１に示すように、取出し口２０Ｘを形成するための環状に配された裂開用ミシン目線２０が設けられた上面１１と底面１２とこれらに連接する一対の長側面１３，１３と一対の短側面１４，１４とを有する直方体形状の紙箱１０と、前記裂開用ミシン目線２０で囲まれる取出し口形成部２０ａを紙箱内側から被覆するフィルムシート３０とで構成されている。
【００２５】
紙箱１０は、収納箱１の外郭をなす紙製の箱体であり、その大きさ、形状、展開形状等は既知の収納箱の紙箱の構成が採用される。一般的な収納箱の大きさは、概ね長手縁Ｌ１が１１０〜３２０ｍｍ、短手縁Ｌ２が７０〜２００ｍｍ、高さＬ３が４０〜１５０ｍｍ程度であり、本発明に係る収納箱１もこの大きさとすることができる。
【００２６】
また、紙箱１０の素材は、バージンパルプ、古紙パルプ等の各種のパルプを主原料とする既知の紙素材が採用でき、好適な紙箱１０の素材は、坪量２５０〜５００ｇ／ｍ2のコートボール紙である。
【００２７】
本発明に係る紙箱１０の構造は、図２、図３に示すように、底面１２と一方の長側面１３を糊代部１２Ａで糊付けして筒状とした後、上面１１、底面１２及びこれらを連接する長側面１３から延出する各フラップＦ，Ｆ…を箱内面側に折り返し、各フラップＦ，Ｆ…の当接部分をホットメルト接着剤等により接着して短側面１４を構成した構造となっている。なお、本発明の紙箱１０は、この構造に限定されるわけではない。
【００２８】
他方、紙箱１０の上面に形成される裂開用ミシン目線２０は環状をなし、適宜のカットタイ比で構成される。裂開用ミシン目線２０は、通常のミシン目線の他、二重ミシン目線、ジッパーミシン目線等で構成することができる。一部分のみ二重ミシン目線としてもよい。
【００２９】
他方、本実施形態に係る裂開用ミシン目線２０は、紙箱長手方向に延在する長辺２１，２１とこの長辺２１，２１の端同士を繋ぐ短手縁に平行な短辺２２，２２とを有し、裂開用ミシン目線２０に囲まれる範囲２０ａの形状は、収納箱１の長手方向に沿う方向が長い適宜の形状である。一般的には、収納箱１の長手方向に沿うやや細長い角取り矩形、或いはその矩形の長辺２１，２１の中央部を外方に向かってやや膨張させてアーチ状とし、楕円に近い形状としたものである。図示の形態は後者の例である。
【００３０】
他方、フィルムシート３０は、裂開用ミシン目線２０により囲まれる範囲２０ａより大きく、紙箱上面の内面側において、裂開用ミシン目線２０の切り剥がしに影響がないように、裂開用ミシン目線２０の外側で接着されている。
【００３１】
本発明に係るフィルムシート３０の素材は、紙箱１０との分別が必要となるものであり、樹脂製或いは樹脂を含むシートである。具体例は、ポリエチレン、ポリプロピレン、ポリエステル等の樹脂からなる樹脂性フィルムシート、又はこれらを積層した積層の樹脂性フィルムシート、フィルムシートと紙等を積層したラミネートフィルムシート、樹脂製繊維からなる合成紙シート等である。取り出し性を考慮すると樹脂製フィルムシートが好ましく、特にポリエチレンフィルムシートが好ましい。
【００３２】
フィルムシート３０の厚みは、１５〜２００μｍが好適である。１５μｍ未満では、強度的に不足し、衛生薄葉紙の取り出し時においてフィルムシート３０の裂けあるいは破断の確率が高くなる。逆に、２００μｍを超えると、フィルムシート３０が裂ける等の強度の問題はないものの、衛生薄葉紙取り出し時のひっかかりが大きくなり、薄葉紙が取り出しにくくなったり破れたりする可能性がある。またコスト高ともなる。
【００３３】
他方、フィルムシート３０には、スリット３１が形成されており、このスリット３１は裂開用ミシン目線２０により囲まれる範囲２０ａで長手方向に沿って位置されている。したがって、図４に示すとおり、裂開用ミシン目線２０に沿ってその裂開用ミシン目線２０で囲まれる範囲２０ａを切り剥がすことにより、紙箱上面１１に取出し口２０Ｘが形成されるとともに、前記フィルムシート３０及びそれに形成されたスリット３１が取出し口２０Ｘを介して露出される。
【００３４】
なお、前記スリット３１の長さは、適宜の長さとすることができ、既知の環状ミシン目線２０との大きさの関係で適するとされる長さが採用できる。
【００３５】
収納箱１に束として収納されているティシュペーパー等の衛生薄葉紙Ｔは、図示例のとおり、前記スリット３１を介して取出し口２０Ｘから一枚ずつ取り出される。そして、当該スリット３１は、取出し口２０Ｘから露出するティシュペーパー等の衛生薄葉紙Ｔの一部を支持して収納箱内部に落ち込むことを防止する。
【００３６】
ここで、本発明に係る収納箱１は、図５に示すように、フィルムシート３０を紙箱内面に貼付するための接着糊４０の糊付けパターンが、裂開用ミシン目線２０で囲まれる範囲２０ａを包囲するようにして裂開用ミシン目線２０の長辺２１，２１及び短辺２２，２２に沿って接着糊４０が配され、かつ、その長辺２１，２１に沿って配される部分４１，４１が連続線内に長手方向中央から短辺方向に向かって凸のＶ字状非接着部４１ｖ，４１ｖが間隔を開けて複数設けられているパターンとなっている。
【００３７】
収納箱１は、上述のとおり、紙箱１０の短側面１４が、上面１１、底面１２、長側面１３から延出するフラップＦ，Ｆ…を折り畳み封止した封止面となっており、箱解体時には図３に示されるように、この封止面である短側面１４を開封する。そして、フィルムシート３０を引き剥がす操作は、その封止面を開封した部分から内部に手に入れてフィルムシート３０を摘み引っ張るようにして行なわれる。よってＶ字状非接着部４１ｖを長手方向中央から短辺２２方向に向かって凸となるように配置することで、一対の短側面１４，１４のいずれの短側面がわからであっても、スムーズにフィルムシート３０の引き剥がしが行えるようになる。なお、図示例では、長辺２１に沿う部分４１の長手方向中央を対称軸として対称にＶ字状非接着部４１ｖ，４１ｖが配置されているが、必ずしも対称である必要はない。
【００３８】
他方、図示の形態では、長辺２１がアーチ状であり、長辺２１に沿う部分４１のパターンも外方にやや膨出するアーチ状としているがこれに限定されるわけではない。また、図示の形態では、前記長辺２１に沿って配される部分４１が、前記短辺２２に沿って配される部分４２の端より中央寄り位置に連なるパターンとなっているが必ずしもこれに限定されない。
【００３９】
この本発明に係る糊付けパターンは、より好ましくは、裂開用ミシン目線２０との間隔が、長辺２１との間の距離Ｌ４が２〜１５ｍｍ、短辺２２との間の距離Ｌ５が２〜１０ｍｍであるのがよい。過度に離れていると広い面積のフィルムシート３０が必要となりコスト高となる。また、距離が近いと製造時に糊が裂開用ミシン目線２０に付着するおそれがある。
【００４０】
また、連続線４１Ｌの幅Ｌ６は好適には０．５〜５．０ｍｍであり、より好適には２．０〜４．０ｍｍである。幅が５．０ｍｍ未満であると全体として接着が不十分になるおそれがあり、５．０ｍｍ以上であると引き剥がしの際の過度の力を要するようになる。
【００４１】
他方、Ｖ字状非接着部４１ｖは、フィルムシート３０が紙箱１０に対して接着されていない部分であり、接着糊４０の非付与部分として形成することができる。Ｖ字状に糊殺し処理することで形成してもよい。非接着性の付与態様は既知の技術によって適宜行なうことができる。
【００４２】
Ｖ字状非接着部４１ｖのより具体的な形状は、線で描かれる単純なＶ字であってもよいが、図示される幅方向中央から二股部分に向かって狭窄してなる、Ｖ字の各三端を頂点とする凹四角形であるのが望ましい。この形状は、Ｖ字先端がわの非接着面積が広く、そこから二股の各端に非接着部が分かれ徐々に非接着部が狭くなる。よって、最初にＶ字先端側が剥離されやすくＶ字先端がわから二股端方向に剥離が進行しやすい。なお、Ｖ字状非接着部は、上記形状に限定されず、その他に図８（ａ）に示す矢羽根形状、（ｂ）に示すＶ字の凸端が鋭利ではない略三日月型、（ｃ）に示すハート型も含まれる。
【００４３】
また、Ｖ字状非接着部４１ｖは、その幅Ｌ７が連続線４１Ｌの幅Ｌ６よりも幅狭であり、連続線４１Ｌ内に位置している。すなわち、Ｖ字状非接着部４１ｖは、連続線４１Ｌの両幅縁と交わらない。
【００４４】
特に、本発明ではＶ字状非接着部４１ｖの幅Ｌ７は、連続線４１Ｌの幅Ｌ６の４０〜８０％であるのが好ましく、５０〜７０％がより好ましい。連続線４１Ｌの幅Ｌ６の４０％未満では、フィルムシート３０の引き剥がし時に、Ｖ字状非接着部４１ｖの部分で勢いが付かず、隣接するＶ字状非接着部間の部分との差が発現し難い。また、８０％を超えると、接着糊を間欠配置するのと同様にフィルムシート３０の一部がちぎれて残るおそれが高まる。
【００４５】
また、Ｖ字状非接着部４１ｖの長さＬ８は、２．０〜１０ｍｍ、好ましくは３．０〜５．０ｍｍである。上記範囲を超えるとＶ字状に非接着部を設ける効果が得られなくなる。
【００４６】
また、本発明の収納箱１では、隣接するＶ字状非接着部間の間隔Ｌ９は、好適には２０〜４０ｍｍである。２０ｍｍ未満であると、接着力が強くなりすぎてスムーズに引き剥がせなくなるおそれが高まる。反対に４０ｍｍを超えると非接着部分を設ける効果が小さくなる。
【００４７】
Ｖ字状非接着部４１ｖの個数は、特に限定されない。裂開用ミシン目線２０の長辺１１の長さに応じて適宜の個数設けることができる。なお、一般的な収納箱１では裂開用ミシン目線２０で囲まれる範囲の長手方向長さが２００ｍｍ前後であり、この場合には６〜  １０点程度等間隔で配置するようにすればよい。
【００４８】
他方、本発明に係る接着糊４０の糊付けパターンは、より好ましくは短辺２２に沿って配される部分４２をやや幅広の線状とし、その両端を鋸型とするのが望ましい（鋸型部分を図５中符号４３で示す）。短辺２２に沿う部分４２の幅Ｌ１０は、５〜７ｍｍが適する。図示例は、特に好ましく、鋸型の刃先方向が短辺の延在方向よりもやや短手面方向に向かうように角度付けされている。当該角度∠Ａの具体的な角度は限定されないが短辺延在方向に対して１０〜８０°の範囲であれば十分である。上述のとおりフィルムシートの引き剥がしは、短側面１４を開放して行なわれるのが一般的であり、その際にはフィルムシート３０の短側面１４がわの中央部を摘んで引っ張る操作が行なわれることが多い。このように中央部を摘んでフィルムシートを引き剥がすべく引っ張ると、接着糊の配設位置のうち特に短辺２２に沿って配される部分４２に力が加わる。よって、当該位置を鋸型としておくと、引き剥がしの最初期にフィルムシートがスムーズに分離されるようになる。
【００４９】
なお、本発明に係る収納箱１は、短側面１４に指入れ用のミシン目線を設けるなど、封止面を開放しやすくして箱解体を容易にならしめる既知の機構を採用することができる。
【００５０】
他方、接着糊４１の具体的種類は特に限定されない。ホットメルト接着剤が使用できる。リサイクルの点では水性接着剤が好適である。
【００５１】
また、フィルムシート３０と紙箱１との具体的な接着力（剥離強度）は、フィルムシート３０の剛性、紙箱の材質などを考慮して適宜さだめることができ、限定されないが      ０．５〜２ｋｇｆの範囲で設計するのがよい。
【実施例】
【００５２】
本発明の実施例と従来例とについて、紙箱とフィルムシートの分離性に関して試験を行なった。本発明の実施例に係る接着剤４０の糊付けパターンは、図５に示すとおりであり、連続線４１Ｌの幅Ｌ６は４．０ｍｍ、Ｖ字状非接着部４１ｖの幅Ｌ７は３．０ｍｍ、長さＬ８は４．０ｍｍ、Ｖ字状非接着部間に間隔Ｌ９は２５ｍｍ、接着糊４０の裂開用ミシン目線２０の短辺２２に沿って配される部分の幅Ｌ１０は６．０ｍｍとした。
【００５３】
比較例１に係る接着剤の糊付けパターンは、図６に示すとおりＶ字状非接着部を設けない例であり、接着糊の裂開用ミシン目線の長手に沿って配される部分の幅Ｌ６は３．５ｍｍ、接着糊の裂開用ミシン目線の短辺に沿って配される部分の幅Ｌ１０は６ｍｍである。図６中、実施例と同様の部分は同様の符号を付する。
【００５４】
比較例２に係る接着糊の糊付けパターンは、図７に示すとおりであり、接着糊を間欠的に設け、取出し口を矩形に囲んだものである。なお、非糊付与部分の長さＬ１３が４ｍｍ、糊付け部分の長さＬ１４が４ｍｍ、幅Ｌ１５が２ｍｍである。図７中の実施例と同様の部分は同様の符号を付する。
【００５５】
紙箱とフィルムシートの分離性は、試料３０個について一方短辺から他方短辺に向かって紙箱からフィルムシートを引き剥がす操作を行ない、１ｃｍ四方以上のちぎれたフィルムシートが紙箱に残存した個数を計数してその割合を算出した。
【００５６】
【表１】
0005859354.tif 000002
【００５７】
表１に示されるとおり、本発明の実施例は、フィルムシートの分離性について、比較例１、２より良好な結果となった。
【００５８】
以上のことから、本発明の実施形態は、紙箱とフィルムシートの分離性に優れる衛生薄葉紙収納箱である。
【符号の説明】
【００５９】
１…衛生薄葉紙収納箱、１０…紙箱、Ｔ…衛生薄葉紙、１１…収納箱（紙箱）上面、１２…収納箱（紙箱）底面、１２Ａ…糊代部、１３…収納箱（紙箱）長側面、１４…収納箱（紙箱）短側面、Ｆ…フラップ、２０…裂開用ミシン目線、２０ａ…取出し口形成部（裂開用ミシン目線で囲まれる範囲）、２０Ｘ…取出し口、３０…フィルムシート、３１…スリット、４０…接着糊、４１…接着糊の裂開用ミシン目線の長辺に沿って配される部分、４２…接着糊の裂開用ミシン目線の短辺に沿って配される部分、４１ｖ…Ｖ字状非接着部、４１Ｌ…ドット部間の連続線部分、Ｌ１…収納箱の長手縁、Ｌ２…収納箱の短手縁、Ｌ３…収納箱の高さ、Ｌ４…長辺と接着糊の裂開用ミシン目線の長辺に沿って配される部分との距離、Ｌ５…短辺と接着糊の裂開用ミシン目線の短辺に沿って配される部分との距離、Ｌ６…連続線の幅、Ｌ７…Ｖ字状非接着部の幅、Ｌ８…Ｖ字状非接着部の長さ、Ｌ９…Ｖ字状非接着部間の距離、Ｌ１０…接着糊の裂開用ミシン目線の短辺に沿って配される部分の幅、Ｌ１３…比較例１の非糊付け部分の長さ、Ｌ１４…比較例１の糊付け部分の長さ、Ｌ１５…比較例１の糊付け部分の幅。
【図１】
0005859354.tif 000003
【図２】
0005859354.tif 000004
【図３】
0005859354.tif 000005
【図４】
0005859354.tif 000006
【図５】
0005859354.tif 000007
【図６】
0005859354.tif 000008
【図７】
0005859354.tif 000009
【図８】
0005859354.tif 000010